(57)【要約】【課題】直線状の配索経路への組み付けを容易にすることができ、しかも、安価に製造することができるワイヤハーネスを提供すること。【解決手段】被取付体上の直線状の配索経路に敷設される電線束１０と、この電線束１０を前記配索経路に整合する直線状に支持する電線支持部材２０と、該電線支持部材２０を配索経路に固定する固定手段３０と、を備え、電線支持部材２０に、中空部の延在方向が記配索経路の延在方向に一致するように裁断されたプラスチック段ボールシート２１，２２を使用する。【選択図】図１
2014117099.tif 000002
【特許請求の範囲】
【請求項１】
被取付体上の直線状の配索経路に敷設される電線束と、この電線束を前記配索経路に整合する直線状に支持する電線支持部材と、該電線支持部材を前記配索経路に固定する固定手段と、を備え、
前記電線支持部材に、中空部の延在方向が前記配索経路の延在方向に一致するように裁断されたプラスチック段ボールシートを使用したこと、
を特徴とするワイヤハーネス。
【請求項２】
請求項１に記載のワイヤハーネスにおいて、
前記電線支持部材は、
前記中空部の延在方向が前記配索経路の延在方向に一致するように裁断されて、その一方の面の上に前記電線束が載置される第１のプラスチック段ボールシートと、
該第１のプラスチック段ボールシート上の前記電線束の上を横断すると共に前記電線束の両側にはみ出した両端部が前記第１のプラスチック段ボールシートの表面に面接触可能な寸法に裁断された第２のプラスチック段ボールシートと、を備え、
前記第１のプラスチック段ボールシートとの間に前記電線束を挟んだ状態に前記第１のプラスチック段ボールシートの上に配置した前記第２のプラスチック段ボールシートの前記両端部を前記第１のプラスチック段ボールシートに溶着させることで、前記第１のプラスチック段ボールシート上に載置された前記電線束を前記第１のプラスチック段ボールシートに固定することを特徴とするワイヤハーネス。
【請求項３】
請求項１に記載のワイヤハーネスにおいて、
前記電線支持部材は、中空部の延在方向が前記配索経路の延在方向に一致するように裁断されたプラスチック段ボールシートであって、
前記電線束を構成する複数の電線を、前記中空部に挿通させることで、前記電線束を前記配索経路に整合する直線状に支持した状態とすることを特徴とするワイヤハーネス。
【請求項４】
請求項１〜３の何れか一項に記載のワイヤハーネスにおいて、
前記固定手段は、被取付体上の配索経路に載置される前記プラスチック段ボールシートの一面に埋設状態に固定される基端部と、該基端部から延出して前記配索経路上の取付穴に挿入されると該取付穴に係合する係止爪と、を備えたクランプであることを特徴とするワイヤハーネス。
【発明の詳細な説明】
【技術分野】
【０００１】
本発明は、被取付体上の直線状の配索経路に組み付けられるワイヤハーネスに関する。
【背景技術】
【０００２】
車両の車体に配索されるワイヤハーネスは、車体への組み付け作業性の向上や、電線の保護を目的として、ワイヤハーネスを構成する電線束を、スパイラルチューブやコルゲートチューブ、あるいは樹脂製スリーブ等の外装材に収容支持した構造とすることが多い。
【０００３】
しかし、これらのスパイラルチューブやコルゲートチューブ、あるいは樹脂製スリーブ等の外装材は、比較的に高額であり、ワイヤハーネスの高額化を招く要因となった。
【０００４】
そこで、下記特許文献１では、組み付け作業性が良好で、且つ安価なワイヤハーネスとして、図６に示すワイヤハーネスを開示している。
【０００５】
このワイヤハーネス１００は、電線束１１０を、一対の片面粘着シート１２０で挟んで支持する。
【０００６】
片面粘着シート１２０は、ＰＰ（ポリプロピレン）発泡材からなるシート基材１２１と、このシート基材１２１の表面に積層される表面材１２２と、シート基材１２１の裏面に積層される粘着剤層１２３と、を備えた３層構造のものである。
【０００７】
電線束１１０を挟む一対の片面粘着シート１２０は、互いの粘着剤層１２３を対向させて配置され、面接触する互いの粘着剤層１２３相互の接着により、電線束１１０を保持する。
【０００８】
また、一方（図６では、下側）の片面粘着シート１２０には、クランプ１３０を支持するクランプ取付穴１２５が貫通形成されている。
【０００９】
クランプ１３０は、クランプ取付穴１２５よりも大径の板状に形成された基端部１３１と、この基端部１３１から延出する係止片部１３２と、を備えている。係止片部１３２は、クランプ取付穴１２５を挿通可能な中心軸部１３２ａと、この中心軸部１３２ａの先端から基端側に斜めに延出した係止爪１３２ｂと、を具備したものである。係止爪１３２ｂは、クランプ取付穴１２５を通過する際には、中心軸部１３２ａ側に撓み変形してクランプ取付穴１２５を通過し、クランプ取付穴１２５を通過すると、撓みが戻って、係止爪１３２ｂの先端がクランプ取付穴１２５よりも外側に広がる。
【先行技術文献】
【特許文献】
【００１０】
【特許文献１】特開２０１２−１６１２３４号公報
【発明の概要】
【発明が解決しようとする課題】
【００１１】
ところが、特許文献１のワイヤハーネス１００の場合、片面粘着シート１２０の剛性が乏しいため、ワイヤハーネス自体では直線形状を維持することができず、例えば、車体の垂直壁部や天井部に設定された直線状の配索経路に組み付ける際、一端側を配索経路上に押さえ付けても、他端側が垂れ下がって配索経路から離れてしまい、組み付けが難しいという問題が生じる。
【００１２】
そこで、本発明の目的は、上記課題を解消することに係り、直線状の配索経路への組み付けを容易にすることができ、しかも、安価に製造することができるワイヤハーネスを提供することにある。
【課題を解決するための手段】
【００１３】
本発明の前述した目的は、下記の構成により達成される。
（１）  被取付体上の直線状の配索経路に敷設される電線束と、この電線束を前記配索経路に整合する直線状に支持する電線支持部材と、該電線支持部材を前記配索経路に固定する固定手段と、を備え、
前記電線支持部材に、中空部の延在方向が前記配索経路の延在方向に一致するように裁断されたプラスチック段ボールシートを使用したこと、
を特徴とするワイヤハーネス。
【００１４】
（２）  上記に記載のワイヤハーネスにおいて、
前記電線支持部材は、
前記中空部の延在方向が前記配索経路の延在方向に一致するように裁断されて、その一方の面の上に前記電線束が載置される第１のプラスチック段ボールシートと、
該第１のプラスチック段ボールシート上の前記電線束の上を横断すると共に前記電線束の両側にはみ出した両端部が前記第１のプラスチック段ボールシートの表面に面接触可能な寸法に裁断された第２のプラスチック段ボールシートと、を備え、
前記第１のプラスチック段ボールシートとの間に前記電線束を挟んだ状態に前記第１のプラスチック段ボールシートの上に配置した前記第２のプラスチック段ボールシートの前記両端部を前記第１のプラスチック段ボールシートに溶着させることで、前記第１のプラスチック段ボールシート上に載置された前記電線束を前記第１のプラスチック段ボールシートに固定することを特徴とするワイヤハーネス。
【００１５】
（３）  上記（３）に記載のワイヤハーネスにおいて、
前記電線支持部材は、中空部の延在方向が前記配索経路の延在方向に一致するように裁断されたプラスチック段ボールシートであって、
前記電線束を構成する複数の電線を、前記中空部に挿通させることで、前記電線束を前記配索経路に整合する直線状に支持した状態とすることを特徴とするワイヤハーネス。
【００１６】
（４）  上記（１）〜（３）の何れかに記載のワイヤハーネスにおいて、
前記固定手段は、被取付体上の配索経路に載置される前記プラスチック段ボールシートの一面に埋設状態に固定される基端部と、該基端部から延出して前記配索経路上の取付穴に挿入されると該取付穴に係合する係止爪と、を備えたクランプであることを特徴とするワイヤハーネス。
【００１７】
上記（１）の構成によれば、電線束を直線状に支持する電線支持部材に使用するプラスチック段ボールシートは、中空部の延在方向に高い剛性を持つ。そのため、例えば、車体の垂直壁部や天井部に設定された直線状の配索経路に組み付ける際、ワイヤハーネスの略全長を直線状に保ったまま配索経路に位置決めすることができ、直線状の配索経路への組み付けを容易にすることができる。しかも、プラスチック段ボールシートは、例えばコルゲートチューブやウレタン製の外装材と比較して安価であるため、ワイヤハーネスを安価に製造することができる。
【００１８】
上記（２）の構成によれば、第１のプラスチック段ボールシートとの間に電線束を挟む第２のプラスチック段ボールシートは、第１のプラスチック段ボールシートと面接触する両端部が第１のプラスチック段ボールシートに溶着されて、第２のプラスチック段ボールシート自体がしっかりと第１のプラスチック段ボールシートに固定されると共に、電線束をしっかりと第１のプラスチック段ボールシートに固定することができる。
【００１９】
そして、第２のプラスチック段ボールシートを第１のプラスチック段ボールシートとは別体とすることで、これらの第１のプラスチック段ボールシート及び第２のプラスチック段ボールシートは、何れも、裁断形状が単純な長方形になり、大型のプラスチック段ボールシートから板取りする際の歩留まりを向上させることができる。
【００２０】
上記（３）の構成によれば、電線支持部材は、１枚のプラスチック段ボールシートだけで済み、（２）の構成の場合と比較して、更に軽量化することができる。また、プラスチック段ボールシート相互の溶着作業も不要になる。また、電線束を構成する電線が、プラスチック段ボールシートの中空部に収容されるため、配索経路に位置する外部機材が直接電線に触れることが無くなり、電線に対する保護性能を向上させることができる。
【００２１】
また、電線束を構成する電線がプラスチック段ボールシート内に収容されるため、ワイヤハーネスの横断面形状を、単純な平板状にすることができ、狭い配索スペースに対しても、配索を容易にすることができる。
【００２２】
上記（４）の構成によれば、電線束を支持しているプラスチック段ボールシートの一面を被取付体上の配索経路に押し当てて、前記一面に突出しているクランプの係止爪を、配索経路に装備されている取付穴に係合させると、ワイヤハーネスが被取付体上の配索経路に固定された状態になる。即ち、ワイヤハーネスの被取付体上の配索経路への組み付け作業は、プラスチック段ボールシートの一面を被取付体上の配索経路に押し当てる操作だけで済み、組み付け作業を容易にすることができる。
【発明の効果】
【００２３】
本発明によるワイヤハーネスによれば、直線状の配索経路への組み付けを容易にすることができ、しかも、安価に製造することができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】図１は本発明に係るワイヤハーネスの第１実施形態の平面図である。
【図２】図２は図１に示したワイヤハーネスの要部の拡大斜視図である。
【図３】図３は図１に示したワイヤハーネスの裏面図である。
【図４】図４は本発明に係るワイヤハーネスの第２実施形態の斜視図である。
【図５】図５は図４に示したプラスチック段ボールシートの正面図である。
【図６】図６は従来のワイヤハーネスの構成を示す横断面図である。
【発明を実施するための形態】
【００２６】
以下、本発明に係るワイヤハーネスの好適な実施形態について、図面を参照して詳細に説明する。
【００２７】
［第１実施形態］
図１〜図３は本発明に係るワイヤハーネスの第１実施形態を示したもので、図１は本発明の第１実施形態のワイヤハーネスの平面図、図２は図１に示したワイヤハーネスの要部の拡大斜視図、図３は図１に示したワイヤハーネスの裏面図である。
【００２８】
この第１実施形態のワイヤハーネス１は、不図示の被取付体上の直線状の配索経路に敷設される電線束１０と、この電線束１０を配索経路に整合する直線状に支持する電線支持部材２０と、該電線支持部材２０を前記配索経路に固定する固定手段としてのクランプ３０と、を備える。
【００２９】
本実施形態のワイヤハーネス１が組み付けられる被取付体は、例えば、車両の車体パネル等である。また、電線束１０は、複数の電線が平面状に結合されたフラットケーブルである。
【００３０】
本実施形態における電線支持部材２０には、第１のプラスチック段ボールシート２１と、複数の第２のプラスチック段ボールシート２２と、を使用している。
【００３１】
第１のプラスチック段ボールシート２１及び第２のプラスチック段ボールシート２２は、所定の離間距離で平行に配列されたプラスチックシート相互を、一定ピッチで配列されるプラスチック製の仕切り壁あるいは波板で結合した構造のもので、横断面は複数の中空部が一列に並ぶ構造を成している。このようなプラスチック段ボールシートは、各種の寸法のものが市販されており、市販のものから選択することができる。
【００３２】
第１のプラスチック段ボールシート２１は、中空部の延在方向が前記配索経路の延在方向（図１の矢印Ｘ１方向）に一致するように裁断されて、その一方の面の上に電線束１０が載置される。電線束１０の長手方向と、第１のプラスチック段ボールシート２１の中空部の延在方向とは、一致させる。また、図１に示すように、第１のプラスチック段ボールシート２１の幅寸法Ｗ１は、電線束１０の幅寸法Ｗ２よりも大きく設定されている。
【００３３】
第２のプラスチック段ボールシート２２は、第１のプラスチック段ボールシート２１とは別体である。この第２のプラスチック段ボールシート２２は、図２に示すように、第１のプラスチック段ボールシート２１上の電線束１０の上を横断し、且つ、電線束１０の両側にはみ出した両端部２２ａが第１のプラスチック段ボールシート２１の表面に面接触可能な寸法に裁断されている。
【００３４】
この第２のプラスチック段ボールシート２２は、中空部の延在方向が、第１のプラスチック段ボールシート２１に揃えられている。第２のプラスチック段ボールシート２２は、第１のプラスチック段ボールシート２１の長さ方向に適宜間隔をあけた複数箇所に、設けられる。本実施形態では、第２のプラスチック段ボールシート２２の両端部は、それぞれ２箇所を溶着させることで、第１のプラスチック段ボールシート２１に固定されている。
【００３５】
本実施形態の場合、第１のプラスチック段ボールシート２１との間に電線束１０を挟んだ状態に第１のプラスチック段ボールシート２１の上に配置した第２のプラスチック段ボールシート２２の両端部２２ａを、第１のプラスチック段ボールシート２１に溶着させることで、第１のプラスチック段ボールシート２１上に載置された電線束１０を第１のプラスチック段ボールシート２１に固定する。図２及び図３における符号Ｙ１は、それぞれ溶着箇所を示している。
【００３６】
クランプ３０は、図６に示したクランプ１３０と同様の構造のもので良く、図示はしていないが、被取付体上の配索経路に載置される第１のプラスチック段ボールシート２１の一面（裏面）に埋設状態に固定される基端部と、該基端部から延出して前記配索経路上の取付穴に挿入されると該取付穴に係合する係止爪と、を備えたものである。
【００３７】
本実施形態のワイヤハーネス１の場合、電線束１０を直線状に支持する電線支持部材２０に使用するプラスチック段ボールシート２１，２２は、中空部の延在方向に高い剛性を持つ。そのため、例えば、車体の垂直壁部や天井部に設定された直線状の配索経路に組み付ける際、ワイヤハーネス１の略全長を直線状に保ったまま配索経路に位置決めすることができ、直線状の配索経路への組み付けを容易にすることができる。しかも、プラスチック段ボールシート２１，２２は、例えばコルゲートチューブやウレタン製の外装材と比較して安価であるため、ワイヤハーネス１を安価に製造することができる。
【００３８】
また、本実施形態のワイヤハーネス１の場合、第１のプラスチック段ボールシート２１との間に電線束１０を挟む第２のプラスチック段ボールシート２２は、第１のプラスチック段ボールシート２１と面接触する両端部が第１のプラスチック段ボールシート２１に溶着されて、第２のプラスチック段ボールシート２２自体がしっかりと第１のプラスチック段ボールシート２１に固定されると共に、電線束１０をしっかりと第１のプラスチック段ボールシート２１に固定することができる。
【００３９】
そして、本実施形態のワイヤハーネス１では、第２のプラスチック段ボールシート２２を第１のプラスチック段ボールシート２１とは別体としている。そのため、これらの第１のプラスチック段ボールシート２１及び第２のプラスチック段ボールシート２２は、何れも、裁断形状が単純な長方形になり、大型のプラスチック段ボールシートから板取りする際の歩留まりを向上させることができる。
【００４０】
更に、本実施形態のワイヤハーネス１では、電線束１０を支持しているプラスチック段ボールシート２１の一面（裏面）を被取付体上の配索経路に押し当てて、第１のプラスチック段ボールシート２１の一面に突出しているクランプ３０の係止爪を、配索経路に装備されている取付穴に係合させると、ワイヤハーネス１が被取付体上の配索経路に固定された状態になる。即ち、ワイヤハーネス１の被取付体上の配索経路への組み付け作業は、プラスチック段ボールシート２１の一面を被取付体上の配索経路に押し当てる操作だけで済み、組み付け作業を容易にすることができる。
【００４１】
［第２実施形態］
図４及び図５は本発明に係るワイヤハーネス１の第２実施形態を示したもので、図４は本発明の第２実施形態のワイヤハーネスの斜視図、図５は図４に示したプラスチック段ボールシートの正面図である。
【００４２】
この第２実施形態のワイヤハーネス１Ａは、不図示の被取付体上の直線状の配索経路に敷設される電線束１０Ａと、この電線束１０Ａを配索経路に整合する直線状に支持する電線支持部材としてのプラスチック段ボールシート２５と、該プラスチック段ボールシート２５を前記配索経路に固定する固定手段としてのクランプ３０と、を備える。
【００４３】
電線束１０Ａは、フラットケーブルではなく、独立した複数本の電線１１の束である。
【００４４】
この第２実施形態の場合、電線支持部材としてのプラスチック段ボールシート２５は、中空部２５ａの延在方向が、配索経路の延在方向に一致するように裁断されている。また、プラスチック段ボールシート２５は、図５に示すように、複数の中空部２５ａが一列に並んだ構造である。
【００４５】
この第２実施形態の場合、電線束１０Ａを構成する複数の電線１１を、図４に示すように、プラスチック段ボールシート２５の中空部２５ａに挿通させることで、電線束１０Ａを配索経路に整合する直線状に支持した状態とする。
【００４６】
第２実施形態におけるクランプ３０は、第１実施形態と同一のもので、プラスチック段ボールシート２５の一面（裏面）に埋設状態に固定される基端部と、該基端部から延出して前記配索経路上の取付穴に挿入されると該取付穴に係合する係止爪と、を備えたものである。
【００４７】
この第２実施形態のワイヤハーネス１Ａの場合、電線支持部材は、１枚のプラスチック段ボールシート２５だけで済み、第１実施形態の場合と比較すると、第２のプラスチック段ボールシート２２が不要になる分、更に軽量化することができる。また、プラスチック段ボールシート相互の溶着作業も不要になる。また、電線束１０Ａを構成する電線１１が、プラスチック段ボールシート２５の中空部２５ａに収容されるため、配索経路に位置する外部機材が直接電線１１に触れることが無くなり、電線１１に対する保護性能を向上させることができる。
【００４８】
また、電線束１０Ａを構成する電線１１がプラスチック段ボールシート２５内に収容されるため、ワイヤハーネス１の横断面形状を、単純な平板状にすることができ、狭い配索スペースに対しても、配索を容易にすることができる。
【００４９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５０】
例えば、電線支持部材として使用するプラスチック段ボールシートは、複数の中空部が上下２段に並ぶ構造のもの、中空部の形状が三角形状のものなども使用可能である。
【００５１】
また、電線支持部材を被取付体に固定する固定手段は、上記実施形態に示したクランプに限らない。固定手段は、例えば、両面粘着テープ等を使用することも可能である。
【００５２】
ここで、上述した本発明に係るワイヤハーネスの実施形態の特徴をそれぞれ以下［１］〜［４］に簡潔に纏めて列記する。
【００５３】
［１］  被取付体上の直線状の配索経路に敷設される電線束（１０）と、この電線束（１０）を前記配索経路に整合する直線状に支持する電線支持部材（２０）と、該電線支持部材（２０）を前記配索経路に固定する固定手段（３０）と、を備え、
前記電線支持部材（２０）に、中空部の延在方向が前記配索経路の延在方向に一致するように裁断されたプラスチック段ボールシート（２１）を使用したこと、
を特徴とするワイヤハーネス（１）。
【００５４】
［２］  上記［１］に記載のワイヤハーネス（１）において、
前記電線支持部材（２０）は、
前記中空部の延在方向が前記配索経路の延在方向に一致するように裁断されて、その一方の面の上に前記電線束（１０）が載置される第１のプラスチック段ボールシート（２１）と、
該第１のプラスチック段ボールシート（２１）上の前記電線束（１０）の上を横断すると共に前記電線束（１０）の両側にはみ出した両端部（２２ａ）が前記第１のプラスチック段ボールシート（２１）の表面に面接触可能な寸法に裁断された第２のプラスチック段ボールシート（２２）と、を備え、
前記第１のプラスチック段ボールシート（２１）との間に前記電線束（１０）を挟んだ状態に前記第１のプラスチック段ボールシート（２１）の上に配置した前記第２のプラスチック段ボールシート（２２）の前記両端部（２２ａ）を前記第１のプラスチック段ボールシート（２１）に溶着させることで、前記第１のプラスチック段ボールシート（２１）上に載置された前記電線束（１０）を前記第１のプラスチック段ボールシート（２１）に固定することを特徴とするワイヤハーネス（１）。
【００５５】
［３］  上記［１］に記載のワイヤハーネスにおいて、
前記電線支持部材（２０）は、中空部（２５ａ）の延在方向が前記配索経路の延在方向に一致するように裁断されたプラスチック段ボールシート（２５）であって、
前記電線束（１０）を構成する複数の電線（１１）を、前記中空部（２５ａ）に挿通させることで、前記電線束（１０）を前記配索経路に整合する直線状に支持した状態とすることを特徴とするワイヤハーネス（１Ａ）。
【００５６】
［４］  上記［１］〜［３］の何れかに記載のワイヤハーネスにおいて、
前記固定手段（３０）は、被取付体上の配索経路に載置される前記プラスチック段ボールシート（２１，２５）の一面に埋設状態に固定される基端部と、該基端部から延出して前記配索経路上の取付穴に挿入されると該取付穴に係合する係止爪と、を備えたクランプであることを特徴とするワイヤハーネス（１）。
【符号の説明】
【００５７】
１，１Ａ  ワイヤハーネス
１０，１０Ａ  電線束
１１  電線
２０  電線支持部材
２１  第１のプラスチック段ボールシート（電線支持部材）
２２  第２のプラスチック段ボールシート（電線支持部材）
２２ａ  端部
２５  プラスチック段ボールシート（電線支持部材）
２５ａ  中空部
３０  クランプ（固定手段）
【図１】
2014117099.tif 000003
【図２】
2014117099.tif 000004
【図３】
2014117099.tif 000005
【図４】
2014117099.tif 000006
【図５】
2014117099.tif 000007
【図６】
2014117099.tif 000008